(57)【要約】【課題】    本考案は、均等充電回路を備えた知的均等充電器を提供する。【解決手段】絶縁型スイッチタイプのＤＣ−ＤＣ変換回路２０と、マイクロプロセッサ・監視／計算・制御回路３０と、蓄電池セット４０とから構成し、前記絶縁型スイッチタイプのＤＣ−ＤＣ変換回路２０は、電源スイッチ回路２１、絶縁型変圧器２２、整流変換回路２３とから成り、前記マイクロプロセッサ・監視／計算・制御回路３０は、多数のスイッチ素子３１と、充電制御マイクロプロセッサ３２を含む構成としたので、蓄電池セット４０の個々のバッテリ・セルは、均等に適切に充電されるので、充電器の充電・放電回数を適切に増やせると共に、充電器の使用寿命を効果的に伸ばすことができる。【選択図】    図２
0003120674.tif 000002
【実用新案登録請求の範囲】
【請求項１】
均等充電回路を有する知的均等充電器であって、前記知的均等充電器が、  充電用の電源を供給するため１組の絶縁型ＤＣ−ＤＣ変換器と、直列に配列された蓄電池セットの状態を監視し且つ前記蓄電池セットの個々のバッテリ・セルの充電状態を制御するために計算する１組のマイクロプロセッサ制御回路とから構成され、
前記均等充電回路が、１組の絶縁型ＤＣ−ＤＣ変換回路、１組のマイクロプロセッサ・監視／計算・制御回路と、蓄電池セットを含んでいることを特徴とする知的均等充電器。
【請求項２】
絶縁スイッチ型ＤＣ−ＤＣ変換回路が、電源スイッチ回路と、絶縁型変圧器と、整流変換回路とを含んでいることを特徴とする請求項１記載の均等充電回路を有する知的均等充電器。
【請求項３】
前記スイッチ型ＤＣ−ＤＣ変換回路の絶縁変圧器は、一次コイル・セットと、前記一次コイルに連結された誘導磁束開放コイル・セットと、中央にタップが付いている型の二次コイルとから構成され、ＤＣ電源が、一次コイル・セットに連結された電源スイッチ回路を通過して通電されてから、二次コイルの中央にタップが付いている型の巻線全体に変換され、そして、整流変換回路を通過して、直列になる蓄電池セットの対応するセルに供給されることを特徴とする請求項２記載の均等充電回路を備えた知的均等充電器。
【請求項４】
一次コイルに連結された電源スイッチ回路には、ＤＣ電源を整流するために整流コンデンサと、スイッチをオン／オフする機能を有するスイッチとが接続されており、二次コイルに連結された整流変換回路には、整流ダイオード、フリーホイール・ダイオード、連結インダクタ、フィルタリング・コンデンサが接続されていることを特徴とする請求項２記載の均等充電回路を備えた知的均等充電器。
【請求項５】
一次コイルに連結された電源スイッチ回路は、電力を通電するためにスイッチ・オンされると、ＤＣ電源が供給されて、フィルタリング・コンデンサを通過し、絶縁変圧器を通過して変換され、二次コイルに連結された整流変換回路へ供給され、その後、電源は整流ダイオード、連結インダクタ、フィルタリング・コンデンサを通って流れ、マイクロプロセッサ・監視／計算・制御回路に対して要求されるＤＣ電源を提供し、二次コイルに連結されたスイッチが電源から遮断された場合、二次コイルに連結された連結インダクタがフリーホイール・ダイオードを介してフィルタリング・コンデンサに電力供給をし、一次コイル・セットが高速ダイオードを介して変圧器の磁束の開放を開始することを特徴とする請求項４記載の均等充電回路を備えた知的均等充電器。
【請求項６】
前記一次コイルに連結された電源スイッチは、ＤＣ電源を整流するためのフィルタリング・コンデンサと、オン／オフ切替え機能を有する２個のスイッチと、蓄電池セットに対応して整流変換回路にそれぞれ組み合わされた２個の高速ダイオードとを含み、二次コイルに連結された整流変換回路には、整流ダイオード、フリーホイール・ダイオード、連結インダクタ、フィルタリング・コンデンサが接続されていることを特徴とする請求項２記載の均等充電回路を備えた知的均等充電器。
【請求項７】
一次コイルに連結された電源スイッチ回路のスイッチが同時にスイッチ・オンされて、ＤＣ電源がフィルタリング・コンデンサを通過し、絶縁変圧器を通過して変換され、二次コイルに連結された整流変換回路に電力供給し、その後、電源は、整流ダイオードと、連結インダクタと、フルタリング・コンデンサを通って流れ、マイクロプロセッサ・監視／計算・制御回路に対して要求されるＤＣ電力を提供し、一次側のスイッチが電源から遮断された場合、二次コイルに連結された連結インダクタが、フリーホイール・ダイオードを通ってフィルタリング・コンデンサに電力を提供し、一次コイル・セットが、高速ダイオードを介して変圧器の磁束の開放を開始することを特徴とする請求項１記載の均等充電回路を備えた知的均等充電器。
【請求項８】
一次コイルに連結された電源スイッチ回路は、ＤＣ電源を整流するためのフィルタリング・コンデンサと、蓄電池セットに対応して整流変換回路に組み合わされたスイッチのオン・オフ切替え機能を有するスイッチとを有し、二次コイルに連結された整流変換回路が、整流ダイオードと、フィルタリング・コンデンサを有することを特徴とする請求項２記載の均等充電回路を備えた知的均等充電器。
【請求項９】
一次コイルに連結されたスイッチがスイッチ・オンされると、ＤＣ電源がフィルタリング・コンデンサを通過して絶縁変圧器を通過して変換され、二次コイルに連結された整流変換回路に電力供給し、その後、電源は、整流ダイオードとフィルタリング・コンデンサを通って流れ、マイクロプロセッサ・監視／計算・制御回路に要求されるＤＣ電源を提供し、一次コイルに連結されたスイッチが電源から遮断された場合、二次コイルがフィルタリング・コンデンサへ電力供給するようにしたことを特徴とする請求項８記載の均等充電回路を備えた知的均等充電器。
【請求項１０】
一次コイルに連結された電源スイッチ回路が、ＤＣ電源を整流するためのフィルタリング・コンデンサと、スイッチのオン・オフ切替え機能を有する２個のスイッチと、２つの高速ダイオードと、蓄電池セットに対応してそれぞれ整流変換回路に組み合わされた共振コンデンサとを有し、二次コイルに連結された整流変換回路が、２つの整流ダイオードと、連結コンダクタと、フィルタリング・コンデンサとを有することを特徴とする請求項２記載の均等充電回路を備えた知的均等充電器。
【請求項１１】
一次コイルに連結されたスイッチが同時にスイッチ・オンされると、ＤＣ電源がフィルタリング・コンデンサを通過して、二次コイルに連結された整流変換回路に電力を供給し、その後、電源は、１つの整流ダイオードと、連結インダクタ、フィルタリング・コンデンサを通って流れ、マイクロプロセッサ・監視／計算・制御回路に要求されるＤＣ電源を提供し、一次コイルに連結されたスイッチが電源を遮断された場合、二次コイルに連結された連結インダクタが別の整流ダイオードを介してフィルタリング・コンデンサへ電力を供給して、一次コイル・セットが高速ダイオードを介して変圧器の磁束の開放を開始し、共振コンデンサがセットされて、絶縁変圧器のvolt-secバランスを維持するようにすることを特徴とする請求項１０記載の均等充電回路を備えた知的均等充電器。
【請求項１２】
電源スイッチ回路のスイッチは単数のトランジスタから成ることを特徴とする請求項４記載の均等充電回路を備えた知的均等充電器。
【請求項１３】
電源スイッチ回路のスイッチは複数個のトランジスタから成ることを特徴とする請求項６記載の均等充電回路を備えた知的均等充電器。
【請求項１４】
電源スイッチ回路のスイッチは単数のトランジスタから成ることを特徴とする請求項８記載の均等充電回路を備えた知的均等充電器。
【請求項１５】
電源スイッチ回路のスイッチは複数個のトランジスタから成ることであることを特徴とする請求項１０記載の均等充電回路を備えた知的均等充電器。
【請求項１６】
電源スイッチ回路の単数のスイッチはＭＯＳから成ることしたことを特徴とする請求項４記載の均等充電回路を備えた知的均等充電器。
【請求項１７】
電源スイッチ回路の複数個のスイッチはＭＯＳから成ることを特徴とする請求項６記載の均等充電回路を備えた知的均等充電器。
【請求項１８】
電源スイッチ回路の単数のスイッチはＭＯＳから成ることしたことを特徴とする請求項８記載の均等充電回路を備えた知的均等充電器。
【請求項１９】
電源スイッチ回路の複数個のスイッチはＭＯＳから成ることを特徴とする請求項１０記載の均等充電回路を備えた知的均等充電器
【請求項２０】
電源スイッチ回路の単数のスイッチはＳＳＲから成ることしたことを特徴とする請求項４記載の均等充電回路を備えた知的均等充電器。
【請求項２１】
電源スイッチ回路の複数個のスイッチはＳＳＲから成ることを特徴とする請求項６記載の均等充電回路を備えた知的均等充電器。
【請求項２２】
電源スイッチ回路の単数のスイッチはＳＳＲから成ることしたことを特徴とする請求項８記載の均等充電回路を備えた知的均等充電器。
【請求項２３】
電源スイッチ回路の複数個のスイッチはＳＳＲから成ることを特徴とする請求項１０記載の均等充電回路を備えた知的均等充電器
【請求項２４】
マイクロプロセッサ・監視／計算・制御回路は、多数のスイッチ素子と、協調的に蓄電池セットに組み合わされた充電制御マイクロプロセッサと、から構成されていることを特徴とする請求項１記載の均等充電回路を備えた知的均等充電器。
【請求項２５】
前記スイッチ素子はトランジスタから成ることを特徴とする請求項２４記載の均等充電回路を備えた知的均等充電器。
【請求項２６】
前記スイッチ素子はＭＯＳから成ることを特徴とする請求項２４記載の均等充電回路を備えた知的均等充電器。
【請求項２７】
前記スイッチ素子はＳＳＲから成ることを特徴とする請求項２４記載の均等充電回路を備えた知的均等充電器。
【請求項２８】
マイクロプロセッサ・監視／計算・制御回路のスイッチ素子は、蓄電池セットのセルの数に対応して合うように、回路の範囲内でできるだけ柔軟に拡張されることができることを特徴とする請求項２４記載の均等充電回路を備えた知的均等充電器。
【請求項２９】
絶縁変圧器の、中央にタップが付いている型の二次コイルの巻線と、整流変換回路とは、蓄電池セットのセルの数に対応して合うように、回路の範囲内でできるだけ柔軟に拡張されることができることを特徴とする請求項３記載の均等充電回路を備えた知的均等充電器。
【考案の詳細な説明】
【技術分野】
【０００１】
本考案は蓄電池の充電器に関し、更に具体的に言うと、均等充電回路を備えた知的（インテリジェント）均等充電器に関するものである。
【背景技術】
【０００２】
図１は、従来の充電器の回路図であり、従来の充電器の充電回路１０は、電源スイッチ回路１１、変圧器１２、整流変換回路１３、蓄電器セット１４から構成されている。
この従来の充電器では、交流電力が電源スイッチ回路１１の電源入力側から供給され、ブリッジ整流回路１１１、フィルタリング・コンデンサ１１２、スイッチ回路１１３を流れて行く。そして、電源は変圧器１２を介して切り替えられて、整流変換回路１３の整流ダイオード１３１に給電して、出力インダクタ１３２とフィルタリング・コンデンサ１３３を通過する直流電源を産出して、蓄電池セット１４に要求される充電電圧を提供する、という構成になっている。
しかし、上述のような従来の充電回路構成にはいささか欠点がある。とりわけ、様々に異なる度合いの内部電気抵抗ということに特徴づけられる個々のバッテリ・セルには、それぞれに異なる充電電圧が必要となるのであるが、充電工程において、総電圧よりも高い充電電圧が直列に配列された蓄電池セット１４に供給されるので、その結果、充電用に直列配列された蓄電池セット１４が過充電されたり充電不足になったりして、蓄電池セット１４内に電位差を増すことになり、これにより、使用中の電池の寿命を短くしてしまうこととなる。
【考案の開示】
【考案が解決しようとする課題】
【０００３】
本考案は、従来技術の欠点を改善して、絶縁型スイッチタイプのＤＣ−ＤＣ変換回路と、マイクロプロセッサ・監視／計算・制御回路と、蓄電池セットとから構成され、充電するために蓄電池セットを据え付けた後で、マイクロプロセッサ制御回路が、全充電工程中に充電電圧を監視し、充電電流を制御することで、蓄電池セットの各々のセルが均等に充分に充電され、これにより最良の充電／放電状態を達成することができると共に、蓄電池セット内の電位差の増加を回避することができ、蓄電池セットの過充電や充電不足をおこさず、使用中の電池の寿命を効果的に伸ばすことができる、均等充電回路を有する知的均等充電器を提供することを第１の目的とする。
また、本考案は、  マイクロプロセッサ・監視／計算・制御回路が逆接続に対する保護策が備えられているので、間違った電極を据え付けるといった手違いで生ずるトラブルを回避できるようになっており、蓄電池セットの充電時間も制御できるので、規定時間を超えて蓄電池セットが充電されるような場合には電源の供給が強制的に停止されるようになっているので、充電器の充電／放電の回数を効率的に増やすことができ、これによっても、電池の寿命を伸ばすことができる、均等充電回路を有する知的均等充電器を提供することを第２の目的とする。
また更に、本考案は、マイクロプロセッサ・監視／計算・制御回路によって蓄電池セットに連結された複数個のスイッチ素子を制御することができるので、蓄電池セットのセルが、個々別々にでも、直列にまとめてでも、選択的に充電できるようになっていて、これにより均等充電効果を実現でき、最高の使用状態を達成することのできる、均等充電回路を有する知的均等充電器を提供することを第３の目的とする。
【課題を解決するための手段】
【０００４】
本考案の均等充電回路を有する知的（インテリゲント）均等充電器は、前記知的均等充電器が、  充電用の電源を供給するため１組の絶縁型ＤＣ−ＤＣ変換器と、直列に配列された蓄電池セットの状態を監視し且つ前記蓄電池セットの個々のバッテリ・セルの充電状態を制御するために計算する１組のマイクロプロセッサ制御回路とから構成され、前記均等充電回路が、１組の絶縁型ＤＣ−ＤＣ変換回路、１組のマイクロプロセッサ・監視／計算・制御回路と、蓄電池セットを含んでいることを特徴とするものである。
【考案の効果】
【０００５】
本考案の知的均等充電器では、充電処理工程中に充電電圧を監視することができ、充電制御マイクロプロセッサが常に蓄電池セットの電圧を探知して、充電電流を制御し、適時に電圧変動範囲に備えることにより、充電器の個々のセルを均等に充分に充電するので、これにより最良の充電／放電状態を達成することができると共に、蓄電池セット内の電位差の増加を回避することができ、蓄電池セットの過充電や充電不足をおこさず、使用中の電池の寿命を効果的に伸ばすことができる。
また、本考案の蓄電池セットには逆接続に対する保護策が備えられているので、間違った電極を据え付けるといった手違いで生ずるトラブルを回避できるようになっており、蓄電池セットの充電時間も制御できるので、規定時間を超えて蓄電池セットが充電されるような場合には電源の供給が強制的に停止されるようになっているので、充電器の充電／放電の回数を効率的に増やすことができ、これによっても、電池の寿命を伸ばすことができる。
【考案を実施するための最良の形態】
【０００６】
以下、添付図面を参照して本考案の好適な実施の形態を詳細に説明する。
図２は本考案の知的均等充電器の充電回路構成を示す概略図、図３はマイクロプロセッサ・監視／計算・制御回路(microprocessor monitoring/calculating control circuit）に対する絶縁型ＤＣ−ＤＣ変換回路の関係を示す概略図、図４は絶縁型ＤＣ−ＤＣ変換回路を示す図、図５はマイクロプロセッサ・監視／計算・制御回路のフローチャート、図６は、変形例の絶縁型ＤＣ−ＤＣ変換回路を示す本考案の第２実施例の図、図７は、更に別の変形例になる絶縁型ＤＣ−ＤＣ変換回路を示す本考案の第３実施例の図、図８は、更に別の変形例になる絶縁型ＤＣ−ＤＣ変換回路を示す本考案の第４実施例の図である。
【実施例１】
【０００７】
図２及び図３に本考案の知的均等充電器の回路構成を示す。本考案は、充電電源に給電するための絶縁型ＤＣ−ＤＣ変換器と、直列配列された蓄電池セットの状態を監視し且つ前記蓄電池セットの個々のセルの充電状態を制御するために計算するマイクロプロセッサ制御回路と、から構成されている均等充電回路を備えた知的均等充電器に関するものである。
【０００８】
前記均等充電回路は、絶縁型ＤＣ−ＤＣ変換回路２０と、マイクロプロセッサ・監視／計算・制御回路３０と、蓄電池セット４０とから構成されている。
絶縁型ＤＣ−ＤＣ変換回路２０は、電源スイッチ回路２１と、絶縁型変圧器２２と、整流変換回路２３とから構成されている。
マイクロプロセッサ・監視／計算・制御回路３０には、複数のスイッチ素子３１と充電制御マイクロプロセッサ３２とが配備されており、これらスイッチ素子３１は、一側で、直列配列された蓄電池セット４０に接続されている。
【０００９】
図４に示されている電源スイッチ回路２１は、入力端部からＤＣ電源が給電される。そして、一次コイルに接続されているスイッチ２１３（トランジスタ、ＭＯＳ、ＳＳＲ等々を含む）がＤＣ電源を通電するために接続されると、ＤＣ電力が、フィルタリング・コンデンサ２１１を通過して、一次コイルへ給電されるようになる。
【００１０】
次に、絶縁型ＤＣ−ＤＣ変換回路２０は、絶縁型変圧器２２を介して変換され、中央にタップが付いている型の、二次コイルの巻線を通過して、二次コイルに接続された整流変換回路２３へ電源を提供する。
それから、ＤＣ電源は、整流ダイオード２３１、連結インダクタ２３３、フィルタリング・コンデンサ２３４を通して通電されて、マイクロプロセッサ・監視／計算・制御回路３０に要求されるＤＣ電源を提供する。
また、蓄電池セット４０の充電状態を監視するために、信号線が、蓄電池セット４０の個々のセルの正極から充電制御マイクロプロセッサ３２へ接続されている。
【００１１】
充電制御マイクロプロセッサ３２は、図５のフローチャートにあるように、まず、蓄電池セット４０の個々のセルが適切に配置されているのか、逆につなげられたりしてないで正しく接続されているのか、を判定する。正しく接続されている場合には、充電信号が発射されて、スイッチ素子３１（トランジスタ、ＭＯＳ、ＳＳＲ等々を含む）をオンにして、電源を通電する。
【００１２】
次に、蓄電池セット４０のセル４１，４２を例に、充電処理工程を説明する。
一列になるセル４１，４２をまとめて充電するには、充電制御マイクロプロセッサ３２がスイッチ素子３１１，３１５をオンにしてから、電源がそこを通過して通電されるようにすると共に、スイッチ素子３１２，３１３，３１４を電源から閉じて、これにより、セル４１，４２を直列に接続して、充電回路を形成する。
【００１３】
個別充電モードを選択した場合には、充電制御マイクロプロセッサ３２はスイッチ素子３１２，３１４を接続して、電力の通電を行い、スイッチ素子３１１，３１３，３１５を閉じるようにすると、セル４１及び４２が別々に個別充電回路を形成するようになる。
【００１４】
バッテリ・セルの実際の数に合わせて、例えば図２に示すように、バッテリ・セル４３がある場合には、それと協働するスイッチ素子、例えば素子３１６を同様に増やすようにすることができる。
【００１５】
充電処理工程を閉じるための信号を提供するために、充電制御マイクロプロセッサ３２と整流変換回路２３とを接続するように信号線が用いられる。一次コイルに接続されたスイッチ２１３が電源を閉ざされた場合、二次コイルの側に接続された連結インダクタ２３３が、フリーホイール・ダイオード３２３を介してフィルタリング・コンデンサ２３４へ電力を供給するようになり、一次コイルが高速ダイオードを介して変圧器の磁束の開放を開始する。
【００１６】
故に、充電処理工程中に、充電制御マイクロプロセッサ３２が常に蓄電池セット４０の電圧を検知して、充電電流を制御し、適時に電圧変動範囲に備えることにより、均等充電目的を達成することができる。
【００１７】
更に、蓄電池セット４０には逆接続に対する保護策も備えられていて、間違った電極を据え付けるといった手違いで生ずるトラブルを回避できるようになっており、また、蓄電池セット４０の充電時間も制御できるので、規定時間を超えて蓄電池セット４０が充電されるような場合には電源の供給が強制的に停止されるようになっているので、充電器の充電／放電の回数を効率的に増やすことができ、これにより電池の寿命を伸ばすことができる。
【実施例２】
【００１８】
図６は、本考案の別の実施態様になる絶縁型ＤＣ−ＤＣ変換回路の電源スイッチ回路図である。  
絶縁型ＤＣ−ＤＣ変換回路５０の電源スイッチ回路図５１は、一次コイルに接続されていて、同時にスイッチ・オンできるスイッチ５１３，５１４が付いているので、ＤＣ電源は、フィルタリング・コンデンサ５１１を通過してから絶縁変圧器５２を通って変換され、二次コイルに接続された整流変換回路５３へ給電できるようになる。
通電された電源は、それから、整流ダイオード５３１、連結インダクタ５３３、フィルタリング・コンデンサ５３４を通過して、マイクロプロセッサ・監視/計算・制御回路に必要とされる電源を供給する。
【００１９】
一次コイルへ接続されているスイッチ５１３，５１４が電源を閉ざされた場合、二次コイルに接続された連結インダクタ５３３が、フリーホイール・ダイオード５３２を介してフィルタリング・コンデンサ５３４へ電力を供給するようになり、一次コイルが高速ダイオード５１２，５１５を介して変圧器５２の磁束の開放を開始する。
【実施例３】
【００２０】
図７は、本考案の更に別の第３の実施例になる絶縁型ＤＣ−ＤＣ変換回路の電源スイッチ回路図である。  
絶縁型ＤＣ−ＤＣ変換回路６０の電源スイッチ回路図６１は一次コイルに接続されていて、同時にスイッチ・オンできるようになるスイッチ６１２が付いているので、ＤＣ電源は、フィルタリング・コンデンサ６１１を通過してから絶縁変圧器６２を通って変換され、二次コイルに接続された整流変換回路６３へ給電できるようになる。
通電された電源は、それから、整流ダイオード６３１、フィルタリング・コンデンサ６３２を通過して、マイクロプロセッサ・監視/計算・制御回路に必要とされる電源を供給する。
一次コイルへ接続されているスイッチ６１２が電源を閉ざされた場合、二次コイルが、フィルタリング・コンデンサ６３２へ電力を供給するようになる。
【実施例４】
【００２１】
図８は、本考案の更に別の第４実施例になる絶縁型ＤＣ−ＤＣ変換回路の電源スイッチ回路図である。  
絶縁型ＤＣ−ＤＣ変換回路７０の電源スイッチ回路図７１は一次コイルに接続されていて、電力通電に対し同時にスイッチ・オンできるようになるスイッチ７１３，７１４が付いているので、ＤＣ電源は、フィルタリング・コンデンサ７１１を通過してから絶縁変圧器７２を通って変換され、二次コイルに接続された整流変換回路３３へ給電できるようになる。
通電された電源は、それから、整流ダイオード７３１、連結インダクタ７３３、フィルタリング・コンデンサ７３４を通過して、マイクロプロセッサ・監視/計算・制御回路３０に必要とされる電源を供給する。
一次コイルへ接続されているスイッチ７１３，７１４が電源を閉ざされた場合、二次コイルに接続された連結インダクタ７３３が、別の整流ダイオード７３２を介してフィルタリング・コンデンサ５３４へ電力を供給するようになり、そして、一次コイルが、高速ダイオード７１５，７１６を介して変圧器７２の磁束の開放を開始する。
【００２２】
加えて、共振コンデンサ７１７も一次コイルに接続されていることで、絶縁変圧器７２のvolt-secバランスを保つことができるようになっている。
【００２３】
また更に、中央にタップが付いている型の、絶縁型変圧器２２の二次コイルの巻線、整流変換回路２３、マイクロプロセッサ・監視/計算・制御回路３０のスイッチ素子３１は、回路の範囲内で許されるような蓄電池セット４０のセルの数に協働して対応するよう、柔軟に増やすこともできるができるようになっている。
【００２４】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２５】
【図１】従来の充電器の充電回路の概略図。
【図２】本考案の知的均等充電器の充電回路構成を示す概略図。
【図３】本考案の知的均等充電器のマイクロプロセッサ・監視／計算・制御回路 （microprocessor monitoring/calculating control circuit）に対する絶縁型ＤＣ−ＤＣ変換回路の関係を示す概略図。
【図４】本考案の知的均等充電器の絶縁型ＤＣ−ＤＣ変換回路を示す図。
【図５】本考案の知的均等充電器のマイクロプロセッサ・監視／計算・制御回路のフローチャート。
【図６】本考案の知的均等充電器の変形例の絶縁型ＤＣ−ＤＣ変換回路を示す本考案の別の第２実施例の図。
【図７】本考案の知的均等充電器の更に別の変形例になる絶縁型ＤＣ−ＤＣ変換回路を示す本考案の第３実施例の図。
【図８】本考案の知的均等充電器の更に別の変形例になる絶縁型ＤＣ−ＤＣ変換回路を示す本考案の第４実施例の図である。
【符号の説明】
【００２６】
２０    絶縁型ＤＣ−ＤＣ変換回路  
２１    電源スイッチ回路
２１１  フィルタリング・コンデンサ
２１３  一次コイルに接続されているスイッチ
２２    絶縁型変圧器
２３    整流変換回路
２３１  整流ダイオード
２３３  連結インダクタ
２３４  フィルタリング・コンデンサ
３０    マイクロプロセッサ・監視／計算・制御回路
３１    スイッチ素子
３１１，３１２，３１３，３１４，３１５，３１６    スイッチ素子
３２    充電制御マイクロプロセッサ
３２３  フリーホイール・ダイオード
４０    蓄電池セット
４１，４２  充電器のセル
【図１】
0003120674.tif 000003
【図２】
0003120674.tif 000004
【図３】
0003120674.tif 000005
【図４】
0003120674.tif 000006
【図５】
0003120674.tif 000007
【図６】
0003120674.tif 000008
【図７】
0003120674.tif 000009
【図８】
0003120674.tif 000010